(57)【要約】【課題】塗布ブラシが塗布ブラシ収納部の穴に収納可能な型のマニキュア用塗布具において、マニキュア用塗布具の塗布ブラシ収納装置を簡単に安価に造り、塗布ブラシの出入りを確実にする。【解決の手段】塗布ブラシがマニキュア液の供給路の塗布ブラシ収納部の穴に収納可能な型のマニキュア用塗布具において、マニキュア液を収容する容器の壁面を弾力性の有る物で造り、壁面が繰り返して凹面と凸面との変動をできるように造り、凹面と凸面との変動ができる壁面に塗布ブラシを直接に取り付け、又は凹面と凸面との変動ができる壁面に塗布ブラシを部材を介して間接に取り付け、壁面の凹面と凸面との変動で、塗布ブラシがマニキュア液の供給路の塗布ブラシ収納部の穴から自在に出入りできるように取り付けた、以上のことを特徴とするマニキュア用塗布具。【選択図】    図３
2004202163.tif 000002
【特許請求の範囲】
【請求項１】
塗布ブラシＥが塗布ブラシ収納部Ｆの穴に収納可能な型のマニキュア用塗布具において、マニキュア液を収容する容器の壁面Ｂを繰り返して凹面と凸面との変動ができるように造り、凹面と凸面との変動ができる壁面Ｂに塗布ブラシＥを直接に取り付け、又は凹面と凸面との変動ができる壁面Ｂに塗布ブラシＥを部材を介して間接に取り付け、壁面Ｂの凹面と凸面との変動で、塗布ブラシＥが塗布ブラシ収納部Ｆの穴から自在に出入りできるように取り付けた、以上のことを特徴とするマニキュア用塗布具。
【請求項２】
筒Ａの片端に弾力性が有る壁面Ｂを密着して固定し、筒Ａのもう一方の片端の内側に塗布ブラシＥを収納する塗布ブラシ収納部Ｆを密着して固定し、塗布ブラシ収納部Ｆに塗布ブラシＥが出入りできる穴を貫通して開け、筒Ａに密着して固定した壁面Ｂが繰り返して凹面と凸面との変動をできるように造り、壁面Ｂの内側に結合部Ｐを取り付け、壁面Ｂを繰り返して凹面と凸面とに変動をさせるための操作部Ｎを壁面Ｂの外側に取り付け、塗布ブラシＥを塗布ブラシ収納部Ｆの穴に貫通して取り付け、塗布ブラシＥの内側に管Ｇを取り付け、管Ｇにマニキュア液が出入りできるように溝Ｊを開け、塗布ブラシＥを取り付けた反対側の管Ｇの先端に結合部Ｋを取り付け、壁面Ｂの内側の結合部Ｐと管Ｇの先端の結合部Ｋは結合できるように造り、操作部Ｎの操作で塗布ブラシＥが塗布ブラシ収納部Ｆより自在に出入りできる、以上のことを特徴とするマニキュア用塗布具。
【発明の詳細な説明】
【０００１】
【発明の属する技術分野】
本発明は、マニキュア液を塗布するためのマニキュア用塗布具に関するものである。
【０００２】
【従来の技術】
マニキュア液を収容する容器の開口部の先端に塗布ブラシを取り付け、塗布ブラシがマニキュア液の供給路に収納可能な型のマニキュア用塗布具は、マグネットを利用した塗布ブラシ収納装置等が有るが、塗布ブラシ収納装置が複雑で故障が多く、塗布ブラシの出入りが的確でない。
【０００３】
【発明が解決しようとする課題】
塗布ブラシが塗布ブラシ収納部の穴に収納可能な型のマニキュア用塗布具において、マニキュア用塗布具の塗布ブラシ収納装置を簡単に安価に造り、塗布ブラシの出入りを確実にする。
【０００４】
【課題を解決するための手段】
塗布ブラシがマニキュア液の供給路の塗布ブラシ収納部の穴に収納可能な型のマニキュア用塗布具において、マニキュア液を収容する容器の壁面を弾力性の有る物で造り、壁面が繰り返して凹面と凸面との変動をできるように造り、凹面と凸面との変動ができる壁面に塗布ブラシを直接に取り付け、又は凹面と凸面との変動ができる壁面に塗布ブラシを部材を介して間接に取り付け、壁面の凹面と凸面との変動で、塗布ブラシがマニキュア液の供給路の塗布ブラシ収納部の穴から自在に出入りできるように取り付けた、以上のことを特徴とするマニキュア用塗布具。
【０００５】
【発明の実施の形態】
筒Ａの片端に弾力性が有る壁面Ｂを密着して固定し、筒Ａのもう一方の片端の内側に塗布ブラシＥを収納する塗布ブラシ収納部Ｆを密着して固定し、塗布ブラシ収納部Ｆに塗布ブラシＥが出入りできる穴を貫通して開け、筒Ａに密着して固定した壁面Ｂは繰り返して凹面と凸面との変動ができるように造り、壁面Ｂの内側に結合部Ｐを取り付け、壁面Ｂを繰り返して凹面と凸面とに変動をさせるための操作部Ｎを壁面Ｂの外側に取り付け、塗布ブラシＥを塗布ブラシ収納部Ｆの穴に貫通して取り付け、塗布ブラシＥの内側に管Ｇを取り付け、塗布ブラシＥと管Ｇは締付け帯Ｌで強く締めて固定し、管Ｇにマニキュア液が出入りできるように溝Ｊを開け、塗布ブラシＥを取り付けた反対側の管Ｇの先端に結合部Ｋを取り付け、壁面Ｂの内側の結合部Ｐと管Ｇの先端の結合部Ｋは結合できるように造り、操作部Ｎの壁面Ｂに対して押す引くの操作で、塗布ブラシＥが塗布ブラシ収納部Ｆより自在に出入りでき、塗布ブラシ収納部Ｆの先端に乾燥防止用のキャップＭを取り付けた、以上のことを特徴とするマニキュア用塗布具。
【０００６】
【実施例】
本発明の実施例を示す。図１、図２及び図３のように、長さは１００ｍｍで片端の直径は３０ｍｍでもう一方の直径は１６ｍｍの円筒Ａをガラスで造り、円筒Ａの直径３０ｍｍの縁から５ｍｍ内側の所に凸形の山Ｃの輪を円筒Ａの表面に造り、シリコーン・ゴムで造られた弾力性が有る壁面Ｂは球形の内側を刳り貫いた厚さ２ｍｍの球形の一部で造られ、壁面Ｂの縁を帯状の輪に加工し、帯状の輪の内側に円筒Ａの凸形の山Ｃに合う凹形の溝Ｄを加工し、円筒Ａの直径３０ｍｍの方の片端に壁面Ｂを密着して固定し、円筒Ａの直径１６ｍｍの片端の内側に塗布ブラシＥを収納する塗布ブラシ収納部Ｆを密着して固定し、塗布ブラシ収納部Ｆはシリコーン・ゴム又はガラスで造られ、収納部Ｆに直径５ｍｍに束ねた塗布ブラシＥが出入りできる直径５ｍｍの穴を貫通して開け、円筒Ａに密着して固定したシリコーン・ゴムで造られた弾力性が有る壁面Ｂは繰り返して凹面と凸面との変動ができるように造り、壁面Ｂの内側中心にシリコーン・ゴムで造られた結合部Ｐを取り付け、壁面Ｂを繰り返して凹面と凸面とに変動をさせるためのシリコーン・ゴムで造られた操作部Ｎを壁面Ｂの外側中心に取り付け、塗布ブラシＥを塗布ブラシ収納部Ｆの穴に貫通して取り付け、塗布ブラシＥの内側中心に金属又は高分子化合物で造られた直径２ｍｍの管Ｇを取り付け、塗布ブラシＥを最大に出した状態で管Ｇは塗布ブラシ収納部Ｆより外に出ないように取り付け、塗布ブラシＥを塗布ブラシ収納部Ｆに最大に引き込めた状態で、管Ｇが塗布ブラシ収納部Ｆから外れないように取り付け、塗布ブラシＥと管Ｇは金属又は高分子化合物で造られた８ｍｍ幅の締付け帯Ｌで強く締めて固定し、管Ｇにマニキュア液が出入りできるように複数個の縦溝Ｊを開け、塗布ブラシＥを取り付けた反対側の管Ｇの先端に金属又は高分子化合物で造られた結合部Ｋを取り付け、壁面Ｂの内側の結合部Ｐと管Ｇの先端の結合部Ｋは結合できるように造り、操作部Ｎの壁面Ｂに対して押す引くの操作で、塗布ブラシＥが塗布ブラシ収納部Ｆより自在に出入りでき、塗布ブラシ収納部Ｆの先端に乾燥防止用のプラスチックで造られたキャップＭを取り付けた、以上のことを特徴とするマニキュア用塗布具である。
【０００７】
【発明の効果】
マニキュア用塗布具の塗布ブラシ収納装置を簡単に安価に造る事ができ、塗布ブラシの出入りが確実になる。
【図面の簡単な説明】
【図１】断面図。実施例のマニキュア用塗布具。壁面Ｂが凸面の状態。キャップＭを本体に取り付けた状態。
【図２】断面図。実施例のマニキュア用塗布具。壁面Ｂが凸面の状態。キャップＭを本体から外した状態。
【図３】断面図。実施例のマニキュア用塗布具。壁面Ｂが凹面の状態。塗布ブラシＥが塗布ブラシ収納部Ｆより出た状態。
【符号の説明】
Ａ：筒、    Ｂ：凹面と凸面との変動ができる壁面、    Ｃ：凸形の山、
Ｄ：凹形の溝、    Ｅ：塗布ブラシ、    Ｆ：塗布ブラシ収納部、    Ｇ：管、Ｈ：マニキュア液の移動用の穴、    Ｊ：管Ｇにマニキュア液が出入りできるように開けた溝、    Ｋ：結合部、    Ｌ：締付け帯、    Ｍ：キャップ、
Ｎ：壁面Ｂを繰り返して凹面と凸面とに変動をさせるための操作部、    Ｐ：結合部、
【図１】
2004202163.tif 000003
【図２】
2004202163.tif 000004
【図３】
2004202163.tif 000005
【手続補正書】
【提出日】平成15年5月6日(2003.5.6)
【手続補正１】
【補正対象書類名】明細書
【補正対象項目名】特許請求の範囲
【補正方法】変更
【補正の内容】
【特許請求の範囲】
【請求項１】
筒（Ａ）の片端に弾力性が有る壁面（Ｂ）を密着して固定し、筒（Ａ）のもう一方の片端の内側に塗布ブラシ（Ｅ）を収納する塗布ブラシ収納部（Ｆ）を密着して固定し、塗布ブラシ収納部（Ｆ）に塗布ブラシ（Ｅ）が出入りできる穴を貫通して開け、筒（Ａ）に密着して固定した壁面（Ｂ）は繰り返して凹面と凸面との変動ができるように造り、壁面（Ｂ）の内側に結合部（Ｐ）を取り付け、壁面（Ｂ）を繰り返して凹面と凸面とに変動をさせるための操作部（Ｎ）を壁面（Ｂ）の外側に取り付け、塗布ブラシ（Ｅ）を塗布ブラシ収納部（Ｆ）の穴に貫通して取り付け、塗布ブラシ（Ｅ）の内側に管（Ｇ）を取り付け、塗布ブラシ（Ｅ）と管（Ｇ）は締付け帯（Ｌ）で強く締めて固定し、管（Ｇ）にマニキュア液が出入りできるように溝（Ｊ）を開け、塗布ブラシ（Ｅ）を取り付けた反対側の管（Ｇ）の先端に結合部（Ｋ）を取り付け、壁面（Ｂ）の内側の結合部（Ｐ）と管（Ｇ）の先端の結合部（Ｋ）は結合できるように造り、操作部（Ｎ）の壁面（Ｂ）に対して押す引くの操作で、塗布ブラシ（Ｅ）が塗布ブラシ収納部（Ｆ）より自在に出入りでき、塗布ブラシ収納部（Ｆ）の先端に乾燥防止用のキャップ（Ｍ）を取り付けた、以上のことを特徴とするマニキュア用塗布具。